(57)【要約】【課題】他の装置で表示される映像に対応した音声情報を含む無線信号を受信して高音質な音声再生を行なうことが可能なオーディオ装置およびオーディオシステムを提供する。【解決手段】オーディオ装置１０２は、ヘッドホン１０３またはイヤホン１０３が接続されるコネクタＪ２１と、他の装置で表示される映像に対応した音声信号が変換された無線信号を受信する受信部２１と、楽曲データまたは受信した無線信号を選択する制御部２２と、制御部２２の選択に基づいて、楽曲データを音声信号に変換するか、あるいは受信した無線信号を音声信号に変換するかを切り替え、変換した音声信号をコネクタＪ２１を介してヘッドホン１０３またはイヤホン１０３へ出力する第２の音声処理部２３とを含む。【選択図】図３
2008166977.tif 000002
【特許請求の範囲】
【請求項１】
映像表示装置と、オーディオ装置とを備えるオーディオシステムであって、
前記映像表示装置は、
映像を表示する表示部と、
前記映像に対応した音声信号を取得する第１の音声処理部と、
前記音声信号を無線信号に変換して送信する送信部とを含み、
前記オーディオ装置は、
ヘッドホンまたはイヤホンが接続されるコネクタと、
前記無線信号を受信する受信部と、
楽曲データまたは前記受信した無線信号を選択する制御部と、
前記制御部の選択に基づいて、前記楽曲データを音声信号に変換するか、あるいは前記受信した無線信号を音声信号に変換するかを切り替え、前記変換した音声信号を前記コネクタを介して前記ヘッドホンまたは前記イヤホンへ出力する第２の音声処理部とを含み、
前記第２の音声処理部は、前記受信した無線信号をストリーミング再生方式により前記音声信号に変換し、
前記オーディオ装置は、さらに
前記楽曲データを記憶する記憶部を含み、
前記映像表示装置は、さらに、
テレビジョン放送信号を受信する受信部と、
前記受信したテレビジョン放送信号から映像信号を抽出する映像処理部とを含み、
前記表示部は、前記映像信号に基づいて映像を表示し、
前記第１の音声処理部は、前記受信したテレビジョン放送信号に基づいて前記映像に対応した音声信号を取得するオーディオシステム。
【請求項２】
映像表示装置と、オーディオ装置とを備えるオーディオシステムであって、
前記映像表示装置は、
映像を表示する表示部と、
前記映像に対応した音声信号を取得する第１の音声処理部と、
前記音声信号を無線信号に変換して送信する送信部とを含み、
前記オーディオ装置は、
ヘッドホンまたはイヤホンが接続されるコネクタと、
前記無線信号を受信する受信部と、
楽曲データまたは前記受信した無線信号を選択する制御部と、
前記制御部の選択に基づいて、前記楽曲データを音声信号に変換するか、あるいは前記受信した無線信号を音声信号に変換するかを切り替え、前記変換した音声信号を前記コネクタを介して前記ヘッドホンまたは前記イヤホンへ出力する第２の音声処理部とを含むオーディオシステム。
【請求項３】
前記第２の音声処理部は、前記受信した無線信号をストリーミング再生方式により前記音声信号に変換する請求項２記載のオーディオシステム。
【請求項４】
前記オーディオ装置は、さらに、
前記楽曲データを記憶する記憶部を含む請求項２記載のオーディオシステム。
【請求項５】
前記映像表示装置は、さらに、
テレビジョン放送信号を受信する受信部と、
前記受信したテレビジョン放送信号から映像信号を抽出する映像処理部とを含み、
前記表示部は、前記映像信号に基づいて映像を表示し、
前記第１の音声処理部は、前記受信したテレビジョン放送信号から前記映像に対応した音声信号を抽出する請求項２記載のオーディオシステム。
【請求項６】
ヘッドホンまたはイヤホンが接続されるコネクタと、
他の装置で表示される映像に対応した音声信号が変換された無線信号を受信する受信部と、
楽曲データまたは前記受信した無線信号を選択する制御部と、
前記制御部の選択に基づいて、前記楽曲データを音声信号に変換するか、あるいは前記受信した無線信号を音声信号に変換するかを切り替え、前記変換した音声信号を前記コネクタを介して前記ヘッドホンまたは前記イヤホンへ出力する音声処理部とを含み、
前記音声処理部は、前記受信した無線信号をストリーミング再生方式により前記音声信号に変換し、
前記オーディオ装置は、さらに、
前記楽曲データを記憶する記憶部を含み、
前記受信部は、テレビジョン装置で表示される映像に対応した音声信号が変換された無線信号を受信するオーディオ装置。
【請求項７】
ヘッドホンまたはイヤホンが接続されるコネクタと、
他の装置で表示される映像に対応した音声信号が変換された無線信号を受信する受信部と、
楽曲データまたは前記受信した無線信号を選択する制御部と、
前記制御部の選択に基づいて、前記楽曲データを音声信号に変換するか、あるいは前記受信した無線信号を音声信号に変換するかを切り替え、前記変換した音声信号を前記コネクタを介して前記ヘッドホンまたは前記イヤホンへ出力する音声処理部とを含むオーディオ装置。
【請求項８】
前記音声処理部は、前記受信した無線信号をストリーミング再生方式により前記音声信号に変換する請求項７記載のオーディオ装置。
【請求項９】
前記オーディオ装置は、さらに、
前記楽曲データを記憶する記憶部を含む請求項７記載のオーディオ装置。
【請求項１０】
前記受信部は、テレビジョン装置で表示される映像に対応した音声信号が変換された無線信号を受信する請求項７記載のオーディオ装置。
【発明の詳細な説明】
【技術分野】
【０００１】
本発明は、オーディオ装置およびオーディオシステムに関し、特に、無線信号を受信して音声を再生するオーディオ装置およびオーディオシステムに関する。
【背景技術】
【０００２】
無線機能を有するメディアプレーヤーは、パーソナルコンピュータとのデータ交換、およびネットワークからのコンテンツ入手を行なうのに便利であるため、今後普及が予想される。たとえば、特許文献１〜４には、無線機能を有し、音声信号を処理するオーディオ装置が開示されている。
【特許文献１】特開２００６−１３９０６号公報
【特許文献２】特開２００２−３００２３８号公報
【特許文献３】特開２００２−９９０３号公報
【特許文献４】特開平５−９１１６９号公報
【発明の開示】
【発明が解決しようとする課題】
【０００３】
しかしながら、特許文献１〜４では、テレビジョン装置等、他の装置で表示される映像に対応した音声情報を含む無線信号を受信して高音質な音声再生を行なう構成は開示されていない。
【０００４】
それゆえに、本発明の目的は、他の装置で表示される映像に対応した音声情報を含む無線信号を受信して高音質な音声再生を行なうことが可能なオーディオ装置およびオーディオシステムを提供することである。
【課題を解決するための手段】
【０００５】
上記課題を解決するために、本発明のある局面に係わるオーディオシステムは、映像表示装置と、オーディオ装置とを備えるオーディオシステムであって、映像表示装置は、映像を表示する表示部と、映像に対応した音声信号を取得する第１の音声処理部と、音声信号を無線信号に変換して送信する送信部とを含み、オーディオ装置は、ヘッドホンまたはイヤホンが接続されるコネクタと、無線信号を受信する受信部と、楽曲データまたは受信した無線信号を選択する制御部と、制御部の選択に基づいて、楽曲データを音声信号に変換するか、あるいは受信した無線信号を音声信号に変換するかを切り替え、変換した音声信号をコネクタを介してヘッドホンまたはイヤホンへ出力する第２の音声処理部とを含み、第２の音声処理部は、受信した無線信号をストリーミング再生方式により音声信号に変換し、オーディオ装置は、さらに、楽曲データを記憶する記憶部を含み、映像表示装置は、さらに、テレビジョン放送信号を受信する受信部と、受信したテレビジョン放送信号から映像信号を抽出する映像処理部とを含み、表示部は、映像信号に基づいて映像を表示し、第１の音声処理部は、受信したテレビジョン放送信号に基づいて映像に対応した音声信号を取得する。
【０００６】
また本発明のさらに別の局面に係わるオーディオシステムは、映像表示装置と、オーディオ装置とを備えるオーディオシステムであって、映像表示装置は、映像を表示する表示部と、映像に対応した音声信号を取得する第１の音声処理部と、音声信号を無線信号に変換して送信する送信部とを含み、オーディオ装置は、ヘッドホンまたはイヤホンが接続されるコネクタと、無線信号を受信する受信部と、楽曲データまたは受信した無線信号を選択する制御部と、制御部の選択に基づいて、楽曲データを音声信号に変換するか、あるいは受信した無線信号を音声信号に変換するかを切り替え、変換した音声信号をコネクタを介してヘッドホンまたはイヤホンへ出力する第２の音声処理部とを含む。
【０００７】
好ましくは、第２の音声処理部は、受信した無線信号をストリーミング再生方式により音声信号に変換する。
【０００８】
好ましくは、オーディオ装置は、さらに、楽曲データを記憶する記憶部を含む。
好ましくは、映像表示装置は、さらに、テレビジョン放送信号を受信する受信部と、受信したテレビジョン放送信号から映像信号を抽出する映像処理部とを含み、表示部は、映像信号に基づいて映像を表示し、第１の音声処理部は、受信したテレビジョン放送信号から映像に対応した音声信号を抽出する。
【０００９】
上記課題を解決するために、本発明のある局面に係わるオーディオ装置は、ヘッドホンまたはイヤホンが接続されるコネクタと、他の装置で表示される映像に対応した音声信号が変換された無線信号を受信する受信部と、楽曲データまたは受信した無線信号を選択する制御部と、制御部の選択に基づいて、楽曲データを音声信号に変換するか、あるいは受信した無線信号を音声信号に変換するかを切り替え、変換した音声信号をコネクタを介してヘッドホンまたはイヤホンへ出力する音声処理部とを含み、音声処理部は、受信した無線信号をストリーミング再生方式により音声信号に変換し、オーディオ装置は、さらに、楽曲データを記憶する記憶部を含み、受信部は、テレビジョン装置で表示される映像に対応した音声信号が変換された無線信号を受信する。
【００１０】
また本発明のさらに別の局面に係わるオーディオ装置は、ヘッドホンまたはイヤホンが接続されるコネクタと、他の装置で表示される映像に対応した音声信号が変換された無線信号を受信する受信部と、楽曲データまたは受信した無線信号を選択する制御部と、制御部の選択に基づいて、楽曲データを音声信号に変換するか、あるいは受信した無線信号を音声信号に変換するかを切り替え、変換した音声信号をコネクタを介してヘッドホンまたはイヤホンへ出力する音声処理部とを含む。
【００１１】
好ましくは、音声処理部は、受信した無線信号をストリーミング再生方式により音声信号に変換する。
【００１２】
好ましくは、オーディオ装置は、さらに、楽曲データを記憶する記憶部を含む。
好ましくは、受信部は、テレビジョン装置で表示される映像に対応した音声信号が変換された無線信号を受信する。
【発明の効果】
【００１３】
本発明によれば、他の装置で表示される映像に対応した音声情報を含む無線信号を受信して高音質な音声再生を行なうことができる。
【発明を実施するための最良の形態】
【００１４】
以下、本発明の実施の形態について図面を用いて説明する。なお、図中同一または相当部分には同一符号を付してその説明は繰り返さない。
【００１５】
［構成および基本動作］
図１は、本発明の実施の形態に係るオーディオシステムの構成を示す図である。
【００１６】
図１を参照して、オーディオシステム２０１は、テレビジョン装置（映像表示装置）１０１と、オーディオ装置１０２と、ストリーミングサーバ１０４と、ＤＭＳ（Digital Media Server）１０５とを備える。また、オーディオ装置１０２にはヘッドホン１０３が取り付けられる。
【００１７】
ストリーミングサーバ１０４は、ネットワーク１０６を介してダウンロードした、すなわちネットワーク１０６から受信した音声および映像等のデジタルコンテンツをストリーミング方式に対応するデータに変換し、変換したデータを無線信号に変換してオーディオ装置１０２へ送信する。なお、ストリーミングサーバ１０４は、ネットワーク１０６から受信したストリーミング方式に対応する音声および映像等のデータを無線信号に変換してオーディオ装置１０２へ送信する構成であってもよい。
【００１８】
ＤＭＳ１０５は、音声および映像等のデジタルコンテンツを保存する。また、ＤＭＳ１０５は、保存しているデジタルコンテンツを無線信号に変換してオーディオ装置１０２へ送信する。
【００１９】
テレビジョン装置１０１は、テレビジョン放送信号を受信し、受信したテレビジョン放送信号に基づいて映像を表示する。また、テレビジョン装置１０１は、受信したテレビジョン放送信号から、表示する映像に対応した音声信号を抽出し、抽出した音声信号を無線信号に変換してオーディオ装置１０２へ送信する。なお、テレビジョン装置１０１は、無線信号を送信する送信部を内蔵する構成であってもよいし、ヘッドホン等を接続する音声出力端子に無線機が接続される構成であってもよい。
【００２０】
オーディオ装置１０２は、たとえばメディアプレーヤーであり、ストリーミングサーバ１０４から受信した無線信号をストリーミング再生方式により音声信号および映像信号等に変換する。また、オーディオ装置１０２は、ＤＭＳ１０５から受信した無線信号を音声信号および映像信号等に変換する。そして、オーディオ装置１０２は、変換した映像信号に基づいて映像を表示し、また、変換した音声信号をヘッドホン１０３へ出力する。また、オーディオ装置１０２は、テレビジョン装置１０１から受信した無線信号を音声信号に変換し、変換した音声信号をヘッドホン１０３へ出力する。
【００２１】
図２は、本発明の実施の形態に係るテレビジョン装置の構成を示す機能ブロック図である。
【００２２】
図２を参照して、テレビジョン装置１０１は、放送信号受信部１と、デスクランブラ２と、ＡＶ（Audio Visual）デコーダ３と、音声処理部（第１の音声処理部）４と、スピーカ５と、映像処理部６と、ディスプレイ（表示部）７と、ネットワークＩ／Ｆ（インタフェース）部８と、操作入力部９と、リモコン受光部１０と、ＣＰＵ（Central Processing Unit）１１と、ＲＡＭ（Random Access Memory）１２と、ＲＯＭ（Read Only Memory）１３と、増幅／ＡＤ（Analog Digital）変換部１４と、ジャック（コネクタ）Ｊ１とを含む。なお、テレビジョン装置１０１は、送受信部１５を含む構成であってもよい。
【００２３】
放送信号受信部１は、アンテナＡＮＴを介してスクランブル処理されたテレビジョン放送信号を受信し、デスクランブラ２へ出力する。
【００２４】
デスクランブラ２は、放送信号受信部１から受けたテレビジョン放送信号に対してデスクランブル処理を行なうことによりスクランブル処理前の信号に復元し、復元後の信号をＡＶデコーダ３へ出力する。
【００２５】
ＡＶデコーダ３は、デスクランブラ２から受けた復元後の信号に対して復号処理を行ない、復号後の信号を音声処理部４および映像処理部６へ出力する。
【００２６】
映像処理部６は、ＡＶデコーダ３から受けた復号後の信号から映像信号を抽出し、抽出した映像信号をディスプレイ７へ出力する。ディスプレイ７は、映像処理部６から受けた映像信号に基づいて映像を表示する。
【００２７】
音声処理部４は、ＡＶデコーダ３から受けた復号後の信号から音声信号を抽出する、すなわち、ディスプレイ７が表示する映像に対応した音声信号を取得する。そして、音声処理部４は、抽出した音声信号をスピーカ５へ出力する。スピーカ５は、音声処理部４から受けた音声信号に基づいて音声を発する。また、音声処理部４は、抽出した音声信号をジャックＪ１を介して送受信部１５へ出力する。
【００２８】
送受信部１５は、音声処理部４から受けた音声信号を無線信号に変換してオーディオ装置１０２へ送信する。また、送受信部１５は、オーディオ装置１０２からの無線信号を受信し、増幅／ＡＤ変換部１４へ出力する。送受信部１５は、たとえば無線ＬＡＮの標準規格であるＩＥＥＥ８０２．１１ａ／１１ｂ／１１ｇすなわちＷｉＦｉ（Wireless Fidelity）に対応している。
【００２９】
増幅／ＡＤ変換部１４は、送受信部１５から受けた信号を増幅し、増幅した信号をデジタルデータに変換し、ＣＰＵ１１へ出力する。
【００３０】
操作入力部９は、ユーザによるテレビジョン装置１０１におけるボタン押下等の操作を認識し、操作情報を表わすデータをＣＰＵ１１へ出力する。
【００３１】
リモコン受光部１０は、ユーザによるリモコンにおけるボタン押下等の操作を認識し、操作情報を表わすデータをＣＰＵ１１へ出力する。
【００３２】
ネットワークインタフェース部８は、ネットワークから受信したデータをＣＰＵ１１へ出力する。
【００３３】
ＣＰＵ１１は、ＲＡＭ１２およびＲＯＭ１３が保存するデータ、ならびに増幅／ＡＤ変換部１４、ネットワークインタフェース部８、操作入力部９およびリモコン受光部１０から受けたデータに基づいて、テレビジョン装置１０１における各ブロックを制御する。
【００３４】
図３は、本発明の実施の形態に係るオーディオ装置の構成を示す機能ブロック図である。
【００３５】
図３を参照して、オーディオ装置１０２は、受信部２１と、ＣＰＵ（制御部）２２と、音声処理部（第２の音声処理部）２３と、ビデオ処理部２４と、ＬＣＤ（Liquid Crystal Display）２５と、ストレージ部２６と、ＲＡＭ２７と、ＲＯＭ２８と、ジャック（コネクタ）Ｊ２１とを含む。受信部２１および送信部２９は、たとえば無線ＬＡＮの標準規格であるＩＥＥＥ８０２．１１ａ／１１ｂ／１１ｇすなわちＷｉＦｉ（Wireless Fidelity）に対応している。
【００３６】
ジャックＪ２１には、ヘッドホン１０３が接続される。なお、ジャックＪ２１には、イヤホンが接続されてもよい。
【００３７】
受信部２１は、テレビジョン装置１０１およびストリーミングサーバ１０４から受信した無線信号を受信し、受信信号としてＣＰＵ２２へ出力する。
【００３８】
ＣＰＵ２２は、受信部２１から受けた受信信号を音声処理部２３およびビデオ処理部２４へ出力する。
【００３９】
ビデオ処理部２４は、ＣＰＵ２２から受けた受信信号に基づいて映像信号を生成し、生成した映像信号をＬＣＤ２５へ出力する。ＬＣＤ２５は、ビデオ処理部２４から受けた映像信号に基づいて映像を表示する。
【００４０】
ストレージ部２６は、ＤＭＳ１０５から受信した無線信号に含まれる楽曲データあるいはストレージ部２６に直接書き込まれた楽曲データを保存する。ＣＰＵ２２は、ストレージ部２６から楽曲データを読み出す。
【００４１】
ＣＰＵ２２は、たとえばユーザの操作に基づいて、ストレージ部２６から取得した楽曲データまたは受信部２１から受けた受信信号を選択し、音声処理部２３へ出力する。
【００４２】
音声処理部２３は、ＣＰＵ２２が受信信号を選択した場合には、ＣＰＵ２２から受けた受信信号をたとえばストリーミング再生方式により音声信号に変換する。すなわち、音声処理部２３は、ＣＰＵ２２から受信信号を新たに受けた音声信号を図示しないバッファに一時保存すると同時に以前ＣＰＵ２２から受けた受信信号をバッファから取得して音声信号に変換する。ここで、音声信号への変換処理は映像信号への変換処理と比べて処理時間が短いため、テレビジョン装置１０１における映像の表示に対するオーディオ装置１０２における音声の再生の遅延はユーザがほとんど認識しない程度に抑えることができる。
【００４３】
音声処理部２３は、たとえばデジタルメディアプレーヤー（ＤＭＰ）機能およびストリーミングクライアント機能等に対応している。
【００４４】
音声処理部２３は、ＣＰＵ２２が楽曲データを選択した場合には、ＣＰＵ２２から受けた楽曲データを音声信号に変換する。
【００４５】
そして、音声処理部２３は、変換した音声信号をジャックＪ２１を介してヘッドホン１０３へ出力する。ヘッドホン１０３は、音声処理部２３から受けた音声信号に基づいて音声を発する。
【００４６】
送信部２９は、ＣＰＵ２２から受けたデータを無線信号に変換し、無線信号をテレビジョン装置１０１へ送信する。
【００４７】
ところで、特許文献１〜４では、たとえばテレビジョン放送信号等、他の装置で表示される映像に対応した音声情報を含む無線信号を受信して高音質な音声再生を行なう構成は開示されていない。しかしながら、本発明の実施の形態に係るオーディオ装置では、ＣＰＵ１２は、テレビジョン装置１０１で表示される映像に対応した音声信号が変換された無線信号か、あるいは楽曲データを選択する。音声処理部２３は、ＣＰＵ２２の選択に基づいて、楽曲データを音声信号に変換するか、あるいは受信した無線信号を音声信号に変換するかを切り替え、変換した音声信号をコネクタＪ２１を介してヘッドホン１０３へ出力する。このような構成により、他の装置で表示される映像に対応した音声情報を含む無線信号を受信して音声再生を行なうことができる。また、テレビジョン装置１０１の音声をオーディオ装置１０２で再生する構成により、オーディオ装置１０２の高い音声再生機能を有効に利用して高音質を実現することができる。
【００４８】
また、テレビジョン装置１０１の音声をオーディオ装置１０２でリアルタイム再生する構成により、テレビジョン放送信号等、リアルタイム処理が要求される音声情報を含む無線信号を受信してリアルタイム再生を行なうことができる。また、オーディオ装置１０２に接続されるヘッドホンを有効に利用することができる。また、テレビジョン装置１０１の音声を再生する機能をオーディオ装置１０２に追加することにより、オーディオ装置１０２の付加価値を高めることができる。
【００４９】
なお、本発明の実施の形態に係るオーディオ装置では、ＣＰＵ２２は、たとえばユーザの操作に基づいて、楽曲データまたは受信信号を選択し、音声処理部２３へ出力する。そして、音声処理部２３は、ＣＰＵ２２から受けた楽曲データまたは受信信号を音声信号に変換する構成であるとしたが、これに限定するものではない。たとえば音声処理部２３が受信部２１から受信信号を受け、かつＣＰＵ２２から楽曲データを受ける。ＣＰＵ２２は、たとえばユーザの操作に基づいて、楽曲データまたは受信信号を選択し、選択結果を表わす制御信号を音声処理部２３へ出力する。そして、音声処理部２３は、ＣＰＵ２２から受けた制御信号に基づいて、楽曲データを音声信号に変換するか、あるいは受信信号をストリーミング再生方式により音声信号に変換するかを切り替える構成であってもよい。
【００５０】
また、本発明の実施の形態に係るオーディオシステムでは、テレビジョン装置１０１を備える構成であるとしたが、これに限定するものではない。映像を表示し、映像に対応した音声信号を無線信号に変換して送信する他の映像表示装置をテレビジョン装置１０１の代わりに使用する構成であってもよい。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態に係るオーディオシステムの構成を示す図である。
【図２】本発明の実施の形態に係るテレビジョン装置の構成を示す機能ブロック図である。
【図３】本発明の実施の形態に係るオーディオ装置の構成を示す機能ブロック図である。
【符号の説明】
【００５３】
１  放送信号受信部、２  デスクランブラ、３  ＡＶ（Audio Visual）デコーダ、４  音声処理部（第１の音声処理部）、５  スピーカ、６  映像処理部、７  ディスプレイ（表示部）、８  ネットワークＩ／Ｆ部、９  操作入力部、１０  リモコン受光部、１１  ＣＰＵ、１２，２７  ＲＡＭ、１３，２８  ＲＯＭ、１４  増幅／ＡＤ変換部、２１  受信部、２２  ＣＰＵ（制御部）、２３  音声処理部（第２の音声処理部）、２４  ビデオ処理部、２５  ＬＣＤ、２６  ストレージ部、１０１  テレビジョン装置（映像表示装置）、１０２  オーディオ装置、１０３  ヘッドホン、１０４  ストリーミングサーバ、１０５  ＤＭＳ（Digital Media Server）、２０１  オーディオシステム、Ｊ１，Ｊ２１  ジャック（コネクタ）。
【図１】
2008166977.tif 000003
【図２】
2008166977.tif 000004
【図３】
2008166977.tif 000005